(57)【要約】      （修正有）【課題】洗濯中に騒音を発生させたり、洗濯後に計量部内に内容物が残存したりすることがなく、しかも構造が簡便で安価である洗濯用計量容器を提供する。【解決手段】元容器に収容された内容物を計り取る計量部２を備え、計量部２により内容物を計り取った後に容器本体１ａごと洗濯機の洗濯槽に投入可能とされた洗濯用計量容器１であって、計量部２の側面部を構成する筒状部材４と、計量部２の底面部を構成する底部材５とを有し、筒状部材４の底面側開口部を底部材５が閉塞することによって、有底筒状の容器本体が構成され、筒状部材４及び底部材５が可撓性を有すると共に、少なくとも筒状部材４が独立気泡の発泡体からなる。【選択図】図１
0003132806.tif 000002
【実用新案登録請求の範囲】
【請求項１】
元容器に収容された内容物を計り取る計量部を備え、前記計量部により前記内容物を計り取った後に容器本体ごと洗濯機の洗濯槽に投入可能とされた洗濯用計量容器であって、
前記計量部の側面部を構成する筒状部材と、前記計量部の底面部を構成する底部材とを有し、前記筒状部材の底面側開口部を前記底部材が閉塞することによって、有底筒状の容器本体が構成され、
前記筒状部材及び前記底部材が可撓性を有すると共に、少なくとも前記筒状部材が独立気泡の発泡体からなることを特徴とする洗濯用計量容器。
【請求項２】
前記容器本体が前記洗濯槽の中で水に浮いた状態となると共に、前記計量部で前記内容物を計り取った後に、前記容器本体の上面側開口部を上に向けて水に浮かせた状態から前記洗濯槽を回転させたときに反転可能とされていることを特徴とする請求項１に記載の洗濯用計量容器。
【請求項３】
前記計量部の側面部には、目盛りが設けられていることを特徴とする請求項１又は２に記載の洗濯用計量容器。
【請求項４】
前記筒状部材は、軸線方向に色の異なる層を有し、各層の間が前記目盛りを形成していることを特徴とする請求項３に記載の洗濯用計量容器。
【請求項５】
前記底部材は、前記筒状部材の底面部に接着剤によって接合されていることを特徴とする請求項１〜４の何れか一項に記載の洗濯用計量容器。
【請求項６】
前記底部材は、前記筒状部材の底面部に熱融着によって接合されていることを特徴とする請求項１〜４の何れか一項に記載の洗濯用計量容器。
【請求項７】
前記底部材は、浸出性を有することを特徴とする請求項１〜６の何れか一項に記載の洗濯用計量容器。
【請求項８】
前記底部材は、前記筒状部材の底面側開口部に水密に嵌合されると共に、前記筒状部材に対して取り外し可能であることを特徴とする請求項１〜４の何れか一項に記載の洗濯用計量容器。
【請求項９】
前記底部材は、独立気泡の発泡体からなることを特徴とする請求項８に記載の洗濯用計量容器。
【請求項１０】
前記独立気泡の発泡体は、ポリエチレン系樹脂発泡体からなることを特徴とする請求項１〜９の何れか一項に記載の洗濯用計量容器。
【請求項１１】
前記容器本体は、前記元容器のキャップ部分に被せることが可能であることを特徴とする請求項１〜１０の何れか一項に記載の洗濯用計量容器。
【考案の詳細な説明】
【技術分野】
【０００１】
本考案は、元容器に収容された内容物を計り取った後に容器本体ごと洗濯機の洗濯槽に投入可能とされた洗濯用計量容器に関する。
【背景技術】
【０００２】
従来より、液体洗剤や液体漂白剤、柔軟仕上げ剤などの内容物を元容器に収容し、この元容器に着脱自在に被せられるキャップを計量カップとして使用した計量キャップ付き容器がある。一方、元容器に収容された内容物を計り取った後に容器本体ごと洗濯機の洗濯槽に投入可能とされた洗濯用計量容器も提案されている（例えば、特許文献１〜３を参照。）。
【０００３】
具体的に、上述した特許文献１〜３のうち、特許文献１には、中空体、開口部、及び収容された液体洗剤の少なくとも一部を布製品の表面上に塗り拡げるための手段を備え、前記手段が、少なくとも一つのオリフィス、及びオリフィスと連通したボールを有し、ボールが全ての方向に自由に回転する液体洗剤用の投入及び分与装置が記載されている。
【０００４】
一方、特許文献２には、手持ち式計量分配装置において、少なくとも一つの容器壁を持つ液体収容用中空容器であって、容器が、開口部及び少なくとも一つの容器壁から中空容器内に延びる入口壁を持つ入口を有し、入口壁が、ファブリックの予備処理中に液体が入口から放出されないようにするために開口部を実質的に包囲している、中空容器、及び、ファブリックの予備処理のための放出構造であって、そこを通して液体を分配するための中空容器と流体連通している放出構造を備えた装置が記載されている。
【０００５】
一方、特許文献３には、容器に着脱自在に付帯される、容器から注出される内容物を計量可能とする容器用計量器において、側面部に屈曲用罫部を有する柔軟材料よりなり、屈曲用罫部を屈曲線とした屈曲状態で容器に取付け可能とし、屈曲状態を復元した展開状態で内容物を計量可能とした容器用計量器が記載されている。
【特許文献１】特表平９−５１２２３０号公報
【特許文献２】特表２００２−５４２１２２号公報
【特許文献３】特開平８−２１７０７８号公報
【考案の開示】
【考案が解決しようとする課題】
【０００６】
しかしながら、上述した特許文献１，２に記載される容器は、何れも強度を確保するため、硬質のプラスチック材料からなっている。このため、洗濯中（特に脱水時）に回転する洗濯槽と衝突して騒音がするなどの問題がある。また、洗濯中に洗濯槽を傷付けたり、容器自体が傷付いたり破損したりすることもある。さらに、構造が複雑で部品点数も多く、製造コストが嵩むといった欠点がある。
【０００７】
また、上述した特許文献１〜３に記載される容器は、何れも液体洗剤の投入口（上面側開口部）が狭窄した形状となっている。このため、洗濯後に内部に液体洗剤が残存しやすく、液体洗剤が残存した場合には、容器から流れ出た液体洗剤によって洗濯物が汚れてしまうなどの問題が発生してしまう。
【０００８】
そこで、本考案は、このような従来の事情に鑑みて提案されたものであり、洗濯中に騒音を発生させたり、洗濯後に計量部内に内容物が残存したりすることがなく、しかも構造が簡便で安価である洗濯用計量容器を提供することを目的とする。
【課題を解決するための手段】
【０００９】
この目的を達成するために、請求項１に係る考案は、元容器に収容された内容物を計り取る計量部を備え、計量部により内容物を計り取った後に容器本体ごと洗濯機の洗濯槽に投入可能とされた洗濯用計量容器であって、計量部の側面部を構成する筒状部材と、計量部の底面部を構成する底部材とを有し、筒状部材の底面側開口部を底部材が閉塞することによって、有底筒状の容器本体が構成され、筒状部材及び底部材が可撓性を有すると共に、少なくとも筒状部材が独立気泡の発泡体からなることを特徴とする洗濯用計量容器である。
【００１０】
また、請求項２に係る考案は、容器本体が洗濯槽の中で水に浮いた状態となると共に、計量部で内容物を計り取った後に、容器本体の上面側開口部を上に向けて水に浮かせた状態から洗濯槽を回転させたときに反転可能とされていることを特徴とする請求項１に記載の洗濯用計量容器である。
【００１１】
また、請求項３に係る考案は、計量部の側面部に目盛りが設けられていることを特徴とする請求項１又は２に記載の洗濯用計量容器である。
【００１２】
また、請求項４に係る考案は、筒状部材が軸線方向に色の異なる層を有し、各層の間が目盛りを形成していることを特徴とする請求項３に記載の洗濯用計量容器である。
【００１３】
また、請求項５に係る考案は、底部材が筒状部材の底面部に接着剤によって接合されていることを特徴とする請求項１〜４の何れか一項に記載の洗濯用計量容器である。
【００１４】
また、請求項６に係る考案は、底部材が筒状部材の底面部に熱融着によって接合されていることを特徴とする請求項１〜４の何れか一項に記載の洗濯用計量容器である。
【００１５】
また、請求項７に係る考案は、底部材が浸出性を有することを特徴とする請求項１〜６の何れか一項に記載の洗濯用計量容器である。
【００１６】
また、請求項８に係る考案は、底部材が筒状部材の底面側開口部に水密に嵌合されると共に、筒状部材に対して取り外し可能であることを特徴とする請求項１〜４の何れか一項に記載の洗濯用計量容器である。
【００１７】
また、請求項９に係る考案は、底部材が独立気泡の発泡体からなることを特徴とする請求項８に記載の洗濯用計量容器である。
【００１８】
また、請求項１０に係る考案は、独立気泡の発泡体がポリエチレン系樹脂発泡体からなることを特徴とする請求項１〜９の何れか一項に記載の洗濯用計量容器である。
【００１９】
また、請求項１１に係る考案は、容器本体が元容器のキャップ部分に被せることが可能であることを特徴とする請求項１〜１０の何れか一項に記載の洗濯用計量容器である。
【考案の効果】
【００２０】
以上のように、本考案の請求項１に係る洗濯用計量容器では、容器本体を構成する筒状部材及び底部材が可撓性を有すると共に、少なくとも筒状部材が独立気泡の発泡体からなることによって、容器本体ごと洗濯槽に投入した場合でも、洗濯中に洗濯槽と衝突して騒音が発生したり、洗濯槽を傷付けたりすることを防ぐことができる。
また、本考案に係る洗濯用計量容器では、容器本体の上面側開口部が大きく開口しているため、元容器から排出された内容物を計量部により容易に計り取ることができ、また、容器本体ごと洗濯槽に投入した場合でも、洗濯後に計量部内に内容物が残存することを防ぐことができる。一方、容器本体ごと洗濯機の洗濯槽に投入しない場合でも、容器本体の上面側開口部が大きく開口しているため、計量部で計り取られた内容物を上面側開口部から容易に排出して洗濯槽へと投入することができる。
さらに、本考案に係る洗濯用計量容器は、筒状部材の底面側開口部を底部材で閉塞した容器本体によって構成されているため、構造が非常に簡便であり、なお且つ製造コストが安く非常に安価である。
【００２１】
また、本考案の請求項２に係る洗濯用計量容器では、洗濯槽に投入した後に水に容器本体が浮いた状態となり、この状態から洗濯槽を回転させたときに容器本体が反転することによって、洗濯槽が回転したときに計量部内の内容物を水中へと投入することができる。したがって、例えば予約洗濯等において洗濯機が稼動する前に内容物が洗濯物に部分的に付着したり、内容物の濃度が高い部分ができたりすることを防ぐことができる。また、脱水を行わずに洗濯槽から取り出す場合には、水に浮いていると見つけやすいといった利点がある。
【００２２】
また、本考案の請求項３に係る洗濯用計量容器では、計量部の側面部に目盛りが設けられていることから、元容器に収容された内容物を計量部により正確に計り取ることができる。
【００２３】
また、本考案の請求項４に係る洗濯用計量容器では、筒状部材が軸線方向に色の異なる層を有し、各層の間が目盛りを形成していることから、目盛りが見え易くなるだけでなく、このような目盛り付きの計量容器を安価に製造することができる。
【００２４】
また、本考案の請求項５に係る洗濯用計量容器では、底部材が筒状部材の底面部に接着剤によって接合されていることから、筒状部材の底面側開口部を底部材により確実に閉塞することができる。
【００２５】
また、本考案の請求項６に係る洗濯用計量容器では、底部材が筒状部材の底面部に熱融着によって接合されていることから、筒状部材の底面側開口部を底部材により確実に閉塞することができる。
【００２６】
また、本考案の請求項７に係る洗濯用計量容器では、底部材が浸出性を有することによって、当該底部材から浸出した液状の内容物を洗濯物に直接塗布することができるため、更なる利便性の向上を図ることができる。
【００２７】
また、本考案の請求項８に係る洗濯用計量容器では、底部材が筒状部材の底面側開口部に水密に嵌合されることによって、筒状部材の底面側開口部を底部材により確実に閉塞することができ、また、底部材が筒状部材に対して取り外し可能であることから、容器本体を筒状部材と底部材とに分解することもでき、非常に便利である。
【００２８】
また、本考案の請求項９に係る洗濯用計量容器では、底部材が独立気泡の発泡体からなることから、容器本体ごと洗濯槽に投入した場合でも、洗濯中に洗濯槽と衝突して騒音が発生したり、洗濯槽を傷付けたりすることを防ぐことができる。
【００２９】
また、本考案の請求項１０に係る洗濯用計量容器では、独立気泡の発泡体がポリエチレン系樹脂発泡体からなることから、浮力が大きく、耐水性及び耐薬品性、並びに加工性に優れ、更なる低コスト化を実現することができる。
【００３０】
また、本考案の請求項１１に係る洗濯用計量容器では、元容器のキャップ部分に被せることが可能であることから、元容器のキャップ部分に被せた状態で元容器と共に保管することができ、非常に便利である。
【考案を実施するための最良の形態】
【００３１】
以下、本考案を適用した洗濯用計量容器について、図面を参照して詳細に説明する。
本考案を適用した洗濯用計量容器は、例えば図１に示すように、内容物として液体洗剤を収容する元容器（図示せず。）に対して、この元容器の注出口から注出された液体洗剤を計り取った後に、容器本体１ａごと洗濯機に投入可能とされた洗濯用計量容器１である。
【００３２】
具体的に、この洗濯用計量容器１は、図１、図２及び図３に示すように、元容器に収容された液体洗剤を計り取る計量部２を備えており、この計量部２の側面部には、容量表示のための目盛り３が設けられている。
【００３３】
洗濯用計量容器１は、計量部２の側面部を構成する筒状部材４と、計量部２の底面部を構成する底部材５とを有し、筒状部材４の底面側開口部を底部材５が閉塞することによって、有底筒状の容器本体１ａが構成されている。
【００３４】
筒状部材４は、可撓性を有する独立気泡の発泡体からなることが好ましく、例えば発泡ポリエチレン、発泡ポリプロピレン、発泡スチレン等の樹脂発泡体や、ゴム発泡体、エラストマー発泡体などを挙げることができる。その中でも特に、浮力が大きく、耐水性及び耐薬品性、並びに加工性に優れ、更なる低コスト化を実現できるポリエチレン系樹脂発泡体を用いることが好ましい。筒状部材４は、軸線方向に色の異なる層４ａ，４ｂを有し、これら色の異なる層４ａ，４ｂを交互に積層しながら熱融着により接合することで全体が略円筒状に形成されている。また、この筒状部材４の各層４ａ，４ｂの間が上記目盛り３を形成している。このように、本考案では、筒状部材４を軸線方向に色の異なる層４ａ，４ｂを積層した積層体とすることで、目盛り３が非常に見え易くなるだけでなく、このような目盛り付きの計量容器１を安価に製造することができる。
【００３５】
底部材５は、上述した筒状部材４と同じ材質、すなわち可撓性を有する独立気泡の発泡体からなり、筒状部材４の底面側開口部を閉塞するため、筒状部材４の外径に対応した略円板形状を有している。そして、この底部材５は、筒状部材４の底面側開口部を確実に閉塞するため、筒状部材４の底面部に接着剤又は熱融着（熱溶着ともいう。）によって接合されている。
【００３６】
以上のような構造を有する洗濯用計量容器１は、元容器から排出された液体洗剤を計量部２で計り取った後に、容器本体１ａごと洗濯機の洗濯槽に投入可能とされている。この場合、洗濯中に計量部２内の液体洗剤が水中に排出されると共に、衣服などの洗濯物と一緒に洗濯槽内で洗濯に供される。したがって、洗濯後は洗濯物と同様、綺麗になって回収される。また、繰り返し使用可能なことから、使い勝手がよく非常に便利である。
【００３７】
本考案の洗濯用計量容器１では、上述した容器本体１ａを構成する筒状部材４及び底部材５が可撓性を有する独立気泡の発泡体からなっている。この場合、容器本体１ａごと洗濯槽に投入した場合でも、洗濯中に洗濯槽と衝突して騒音が発生したり、洗濯槽を傷付けたりすることを防ぐことができる。
【００３８】
また、本考案の洗濯用計量容器１では、容器本体１ａの上面側開口部１ｂが大きく開口しているため、元容器から排出された液体洗剤を計量部２により容易に計り取ることができ、また、容器本体１ａごと洗濯槽に投入した場合でも、洗濯後に計量部２内に液体洗剤が残存することを防ぐことができる。一方、容器本体１ａごと洗濯機の洗濯槽に投入しない場合でも、容器本体１ａの上面側開口部１ｂが大きく開口しているため、計量部２で計り取られた液体洗剤を上面側開口部１ａから容易に排出して洗濯槽へと投入することができる。
【００３９】
さらに、本考案の洗濯用計量容器１は、筒状部材４の底面側開口部を底部材５で閉塞した容器本体１ａによって構成されているため、構造が非常に簡便であり、なお且つ製造コストが安く非常に安価である。
【００４０】
ところで、本考案の洗濯用計量容器１は、容器本体１ａが洗濯槽の中で水に浮いた状態となると共に、計量部２で液体洗剤を計り取った後に、容器本体１ａの上面側開口部１ｂを上に向けて水に浮かせた状態から洗濯槽を回転させたときに反転可能とされている。
【００４１】
一方、上述した特許文献１〜３に記載される計量容器は、何れも洗濯槽に投入後に水に沈むような材質からなるため、例えば予約洗濯で数時間後に洗濯機が稼動する場合には、内容物が衣服に部分的に付着したり、水没して部分的に高濃度の部分ができたりすることがある。この場合、衣類が傷んだり、洗濯が適切に行われないのではないかといった不安を使用者に与えることになる。
【００４２】
これに対して、本考案の洗濯用計量容器１では、洗濯槽に投入後に水に浮いた状態となり、この状態から洗濯槽を回転させたときに反転することから、洗濯槽が回転したときに計量部２内の液体洗剤を水中へと投入することができる。これは、鉛直軸回りに洗濯槽が回転する洗濯機において特に有効である。
【００４３】
これにより、本考案の洗濯用計量容器１では、上述した予約洗濯等において洗濯機が稼動する前に液体洗剤が衣服に部分的に付着したり、液体洗剤の濃度が高い部分ができたりすることを防ぐことができる。また、脱水を行わずに洗濯槽から取り出す場合には、水に浮いていると見つけやすいといった利点がある。
【００４４】
以上のように、本考案によれば、洗濯中に騒音を発生させたり、洗濯後に計量部内に内容物が残存したりすることがない洗濯用計量容器１を安価に提供することができ、このような洗濯用計量容器１を用いることによって、更なる利便性の向上を図ることができる。
【００４５】
なお、本考案を適用した洗濯用計量容器１は、上記実施形態のものに必ずしも限定されるものではなく、本考案の趣旨を逸脱しない範囲において種々の変更を加えることが可能である。
【００４６】
例えば、上記筒状部材４は、上述した円筒状に限らず、図４（ａ）〜（ｃ）に示すような角筒状としてもよい。なお、図４（ａ）に示す筒状部材４Ａは、四角筒状の場合であり、図４（ｂ）に示す筒状部材４Ｂは、六角筒状の場合であり、図４（ｃ）に示す筒状部材４Ｃは、八角筒状の場合である。
【００４７】
また、上記筒状部材４は、上述した色の異なる層４ａ，４ｂを同一径としたものに限らず、例えば、色の異なる層４ａ，４ｂの径を断続的に異ならせることによって、図５（ａ）に示すような段差状の広口形状としたり、色の異なる層４ａ，４ｂの径を連続的に異ならせることによって、図５（ｂ）に示すようなテーパー状の広口形状としたりすることもできる。なお、容器本体１ａの上面側開口部１ｂは、狭口となると洗濯後に計量部２内に液体洗剤が残存する可能性が増すことから、図５（ａ），（ｂ）に示すような広口形状とすることが好ましい。
【００４８】
なお、上述した色の異なる層４ａ，４ｂの積層数や層厚については、特に制限はなく任意に設定することができるが、各層４ａ，４ｂの間が上記目盛り３を形成することから、目盛り３の容量表示に合わせることが好ましい。また、上記色の異なる層４ａ，４ｂは、２〜５色を各層の色が連続して並ばないように配置することが好ましい。
【００４９】
また、上記筒状部材４は、上述した色の異なる層４ａ，４ｂを積層した積層体に限らず、図６に示すように、単層（単色）によって構成してもよい。この場合、更なる低コスト化が可能である。また、目盛り３については、筒状部材４の周囲に罫線などを入れることによって形成することができる。なお、計量部２の容量が液体洗剤の１回の使用量に相当するのであれば、特に目盛り３を設ける必要はない。
【００５０】
上記計量部２の内径及び深さについては、液体洗剤の１回の使用量に合わせて任意に設定することができるが、液体洗剤の計量のし易さや、液体洗剤の注ぎ易さ、保管のし易さ等を考慮することが好ましい。なお、本考案の洗濯用計量容器１では、例えば上記筒状部材４の内径を約４７ｍｍとし、上記筒状部材４の各層４ａ，４ｂの層厚を約９ｍｍ（１層当たりの内容積が１５ｍｌ）とし、４層の発泡ポリエチレンシートを熱融着により接合した後、円筒状に型抜きすることによって、上記筒状部材４を作製した。このように、上記筒状部材４を型抜きによって作製した場合、製造コストを下げることができる。
【００５１】
また、上記筒状部材４は、元容器のキャップの外径（約３０〜７０ｍｍ）に対応した内径とすることで、元容器のキャップ部分に被せることが可能である。この場合、元容器のキャップ部分に被せた状態で元容器と共に保管することができ、非常に便利である。
【００５２】
上記筒状部材４の肉厚については、任意に設定することができるが、厚過ぎるとコストの上昇や、取り扱いの不便さ、保管のし難さ等に繋がる一方、薄過ぎると強度不足や、持ち難さ、破損等に繋がるため、それらを考慮すると２〜２０ｍｍが実用的な範囲である。
【００５３】
また、上記筒状部材４の肉厚は、容器本体１ａの浮力にも影響することから、上述した洗濯槽に投入後に水に浮いた状態となり、この状態から洗濯槽を回転させたときに反転するような肉厚とすることが好ましい。
ここで、筒状部材の肉厚が１０ｍｍ（外径６７ｍｍ、内径４７ｍｍ）の計量容器Ａと、筒状部材の肉厚が５ｍｍ（外径５７ｍｍ、内径４７ｍｍ）の計量容器Ｂを作製し、全自動洗濯機（サンヨー社製、商品名：ハイバードウォッシャー（ＡＳＷＨ−８０００）、水量：２９Ｌ、洗濯モード：おまかせ）を用いて、これら計量容器Ａ，Ｂで液体洗剤（ライオン社製、商品名：リキッドトップ）を２０ｇ計り取った後に、上面側開口部を上に向けて水に浮かせた状態から洗濯を開始し、脱水直前まで観察を行った。
その結果、計量容器Ａでは、計量部２内に水が入ってくるものの、脱水まで容器本体が反転することがなく、計量部２内に液体洗剤が残存することとなった。一方、計量容器Ｂでは、容器本体が反転することによって計量部２内に液体洗剤が残存することはなかった。なお、このような実験を３回繰り返したが結果は同じであった。
以上のことから、上記筒状部材４の肉厚は、洗濯中に容器本体１が反転するようになるべく薄く形成することが好ましい。
【００５４】
一方、上記底部材５は、図７に示すように、浸出性を有する部材によって構成することができる。このような浸出性を有する部材としては、例えば樹脂焼結体や、セル膜除去タイプの発泡体、連続気泡のエラストマー発泡体などを挙げることができる。この場合、計量部２内の液体洗剤Ｌが底部材から浸出することで、この浸出した液体洗剤を、例えば衣服の襟や袖などの部分的な汚れなどに対して、直接塗布することができ、非常に便利である。
なお、容器本体１の上面部に発泡ウレタン樹脂等を設けることで、擦り洗い用の洗濯用具として使用することも可能である。
【００５５】
一方、上記底部材５は、図８（ａ）に示すように、筒状部材４の底面側開口部に水密に嵌合されると共に、図８（ｂ）に示すように、筒状部材４に対して取り外し可能な構成としてもよい。この場合、容器本体１を筒状部材４と底部材５とに分解することができるため、底部材５を筒状部材４の底面部に接合する工程が不要となり、製造コストを下げることができる。また、保管する場合などに非常に便利である。
【００５６】
なお、元容器に収容される内容物については、本考案の洗濯用計量容器で計量可能なものであれば特に制限されるものではなく、上述した液体洗剤に限らず、例えば液体漂白剤や柔軟仕上げ剤などの洗濯用液状組成物であってもよく、場合によっては粉末洗剤などの洗濯用粉状組成物であってもよい。
【図面の簡単な説明】
【００５７】
【図１】図１は、本考案を適用した洗濯用計量容器の一例を示す斜視図である。
【図２】図２は、図１に示す洗濯用計量容器の構成を示す断面図である。
【図３】図３は、図１に示す洗濯用計量容器の構成を示す平面図である。
【図４】図４は、筒状部材の変形例を示す平面図である。
【図５】図５は、筒状部材の変形例を示す側面図である。
【図６】図６は、本考案を適用した洗濯用計量容器の変形例を示す斜視図である。
【図７】図７は、本考案を適用した洗濯用計量容器の別の変形例を示す断面図である。
【図８】図８は、本考案を適用した洗濯用計量容器の別の変形例を示す断面図である。
【符号の説明】
【００５８】
１…洗濯用計量容器  １ａ…容器本体  ２…計量部  ３…目盛り  ４…筒状部材  ４ａ，４ｂ…色の異なる層  ５…底部材
【図１】
0003132806.tif 000003
【図２】
0003132806.tif 000004
【図３】
0003132806.tif 000005
【図４】
0003132806.tif 000006
【図５】
0003132806.tif 000007
【図６】
0003132806.tif 000008
【図７】
0003132806.tif 000009
【図８】
0003132806.tif 000010